(57)【要約】【課題】緩みや揺れを抑制可能な組み立てラックを提供する。【解決手段】複数設けられている支柱１０は、Ｌ型の板状で、各側面の結合板１１に結合板１１の内側に向かって突出した状態の突起状の受け槽１２、１３を有している。受け槽１２、１３は支柱１０の軸方向に上下に並んだ形態で設けられている。所定の数の棚部分仕切り層２０は、フレーム部分２２の四つの角部分の各側面の所定の位置にそれぞれ一対の挿入固定片を有している。挿入固定片は、上下に並んで設けられ、受け槽１２、１３に対応し、挿入固定片とフレーム部分２２は同一平面となっている。これによると、受け槽１２、１３へフレーム部分２２を挿入結合しやすくなるため、支柱１０と棚部分仕切り層２０との結合において安定性を高めることができる。【選択図】  図１
0003156536.tif 000002
【実用新案登録請求の範囲】
【請求項１】
複数の支柱と所定の数の棚部分仕切り層とを備える組み立てラックであって、
前記支柱は、Ｌ型の板状で、各側面の結合板に水平にそれぞれ所定の数の一対の突起状の受け槽を有し、
一対の前記受け槽は、いずれもが上下に並んだ形態で、前記結合板の内側に向かって突出した状態で設置され、
複数の前記棚部分仕切り層は、フレーム部分の四つの角部分の各側面の所定の位置にそれぞれ一対の挿入固定片を有し、
前記挿入固定片は、上下に並んだ形態で、前記支柱の一対の前記受け槽に対応し、前記フレーム部分と同一平面になるように形成されており、
前記支柱と前記棚部分仕切り層との結合の安定性を高めるように、前記棚部分仕切り層の前記フレーム部分を前記支柱の前記受け槽に挿入結合することを特徴とする組み立てラック。
【請求項２】
前記棚部分仕切り層の前記フレーム部分に設置されている前記挿入固定片は、前記フレーム部分の面が凹型の中空の穴を有した形に、下部の前記挿入固定片が切れ込み部を有した形にプレス成形され、
前記挿入固定片の長さは前記支柱の前記受け槽の深さより大きく、前記挿入固定片の下端縁から穴の下縁までの間隔は前記支柱の前記受け槽の深さより大きいことにより、前記支柱の前記受け槽がスムーズに前記棚部分仕切り層の穴を通って、前記挿入固定片が挿入されて結合されることを特徴とする請求項１に記載の組み立てラック。
【請求項３】
前記支柱の前記受け槽は、別に追加された止め板が挿入され、前記棚部分仕切り層に対して置かれた物品を止めて制限する作用を有することで、傾斜による転倒や落下を回避すると同時に、構造の補強作用も有することを特徴とする請求項１に記載の組み立てラック。
【請求項４】
前記支柱の前記受け槽は、追加された棚板受けパーツが設置され、前記棚部分仕切り層を載せることに供されることを特徴とする請求項１に記載の組み立てラック。
【請求項５】
前記棚部分仕切り層の前記フレーム部分に相対する二側面の板の所定の位置には少なくとも一対の内側に突起した前記受け槽が設置されて、追加設置される補助支えが挿入されることで、上の棚板に対して受ける力を補強する作用を有し、重量を受ける力を高めることを特徴とする請求項１に記載の組み立てラック。
【請求項６】
相対する二枚の前記棚部分仕切り層の前記フレーム部分の側板の所定の位置には、少なくとも一対の内側に突起した状態の補助支え受け槽がさらに設置され、別に追加される補助支えが設置されることに供され、前記補助支えの両端には低い段差部分が設置され、その端縁には下に向かって折り曲げられた補助支え挿入固定片を有することで、前記低い段差部分の落差度がちょうど前記フレーム部分の上縁部分をよけて、スムーズに前記補助支えと前記フレーム部分の挿入組み立て作業が行え、前記補助支えの上縁と前記フレーム部分の上縁が平行になることで、その上の前記棚部分仕切り層の板に対して補助的に支える効果が強化されて、重量を受ける力を強化して、ラックとしての安定性及び安全性を高めることを特徴とする請求項１に記載の組み立てラック。
【考案の詳細な説明】
【技術分野】
【０００１】
本考案は、組み立てラックに関する。
【背景技術】
【０００２】
一般に、組み立てラックは、数本の支柱および所定の数の棚部分仕切り層を有し、棚部分仕切り層と支柱とが結合される。支柱の所定の位置には結合のための穴が設置されており、棚部分仕切り層はねじで直接棚部分仕切り層に固定されるか、あるいは棚板受けパーツに固定されることにより、ラックが組み立てられる。
【０００３】
しかしながら、このタイプの組み立てラックの支柱と棚部分仕切り層の結合方法では、直接ねじによって固定される方式の場合、上に置かれた物の重量がねじを締めた結合部分に集中することで、強度が明らかに不足し、置かれた物の重量が大きい場合に、実用性に多少の影響を及ぼす虞がある。また、棚板受けパーツによって棚部分仕切り層を設置する方式の場合、棚部分仕切り層と支柱との間の安定性が保てず、容易にずれる状況が発生して全体の実用性に大きく影響する虞がある。
【図面の簡単な説明】
【０００４】
【図１】本考案の一実施形態による組み立てラックを示す斜視図である。
【図２】本考案の一実施形態による組み立てラックの支柱を示す斜視図である。
【図３】本考案の一実施形態による組み立てラックの棚部分仕切り層のフレーム部分を示す斜視図である。
【図４】本考案の一実施形態による組み立てラックの一部を示す分解斜視図である。
【図５】本考案の一実施形態による組み立てラックを示す模式図である。
【図６】本考案の一実施形態による組み立てラックの実施状態を示す斜視図である。
【図７】本考案の他の実施形態による組み立てラックを示す斜視図である。
【図８】本考案の他の実施形態による組み立てラックの補助支えを示す斜視図である。
【図９】本考案の他の実施形態による組み立てラックの補助支えが棚部分仕切り層に挿入されていない状態を示す模式図である。
【図１０】本考案の他の実施形態による組み立てラックの補助支えが棚部分仕切り層に挿入された状態を示す模式図である。
【考案の概要】
【考案が解決しようとする課題】
【０００５】
したがって、本考案の目的は、支柱と棚部分仕切り層の結合において、挿入固定により安定した結合性を得て、緩みや揺れを抑制可能な組み立てラックを提供することにある。
【０００６】
また、本考案のもう一つの目的は、棚部分仕切り層と支柱との間において、安定した挿入結合関係を得て、重量を受ける力を強化することで、重量の大きい物品でも置けることにより、全体的な実用性を高めた組み立てラックを提供することにある。
さらにまた、本考案のもう一つの目的は、必要に応じて棚部分仕切り層の所定部分に補助支えを追加することで、重量を受ける力を強化して、物品を載せる際の活用性及び実用性を高めた組み立てラックを提供することにある。
【課題を解決するための手段】
【０００７】
上記目的を達成するために、本考案の組み立てラックは、支柱を直角型に形成する。各支柱の二枚の結合板には、間隔を置いて、内側に突起した上下一対の例えば上下２個の棚板受けパーツが設置される。棚部分仕切り層のフレーム部分の各端角部の両側にそれぞれあらかじめ上下一対の例えば上下２個の挿入固定片が設置され、且つ、前記挿入固定片はプレス加工技術によって中が空洞の形に成形されることで、挿入固定片とフレーム部分の箇所が同一平面となる。
【０００８】
こうして、棚部分仕切り層はフレーム部分の挿入固定片と支柱の受け槽によって、簡単で安定した挿入結合が得られ、組み立てラックの組み立て結合作業が完了する。同時に、支柱の受け槽を移動させ、適切な部品を組み合わせてはめ込むことで、異なる型式の棚部分仕切り板に交換でき、フレキシブルな活用が可能で、変化に富んだ実用性の高いラックとしての使用が可能である。
（考案の効果）
【０００９】
本考案は特に組み立てラックの棚部分仕切り層と支柱とが結合する部分の構成に関するものであり、本校案の組み立てラックは、棚部分仕切り層のフレーム部分の端に設置された挿入固定片を支柱に設置された受け槽に組み合わせる構成となっている。これによると、棚部分仕切り層がフレーム部分の挿入固定片と支柱の受け槽によって、簡単で安定した挿入結合を得ることができる。また、支柱の受け槽を移動させ、適切な部品を組み合わせてはめ込むことで、異なる型式の棚部分仕切り板に交換でき、フレキシブルな活用が可能で、変化に富んだ実用性の高いラックとしての使用が可能である。
【考案を実施するための形態】
【００１０】
以下、本考案の実施形態を図面に基づいて説明する。
（一実施形態）
図１の斜視図、図２、図３の部分斜視図、図４の部分構造分解斜視図、図５の部分構造関係の模式図及び図６の斜視図を参照し、本考案の一実施形態について説明する。
図に示したように、本考案の一実施形態による組み立てラックは、主に、４本の支柱１０に所定の数の棚部分仕切り層２０が挿入される方式で組み立てられる。このうち、数本の支柱１０は、金属板材をＬ型にプレス成形した板状の形態で、支柱１０各側面の結合板１１に水平にそれぞれ所定の数の一対の突起状の受け槽１２、受け槽１３が設置される。
【００１１】
受け槽１２、受け槽１３は、結合板１１に一体にプレス成形される。水平に設置された２個の受け槽１２、受け槽１３のいずれもが、上下に並んだ形態で、結合板１１の内側に向かって突出した状態で設置される。受け槽１２、受け槽１３は、他の異なる様々な位置に設置されることで、棚部分仕切り層２０が必要に応じて数及び間隔を調節することができる。
【００１２】
複数の棚部分仕切り層２０は、格子状または平板式の形状も可能である。図に示すように、格子状の棚部分仕切り層２０は、格子状棚部分２１とフレーム部分２２から構成される。フレーム部分２２の四つの角部分の各側面の所定の位置にそれぞれ一対の挿入固定片２３、挿入固定片２４が設置される。挿入固定片２３、挿入固定片２４は、上下に並んでいるため、上部挿入固定片２３はフレーム部分２２の面が凹型の中空の穴２５を有する形態に、そして、下部挿入固定片２４は切れ込み部２６を有する形態にプレス成形される。
【００１３】
挿入固定片２３、挿入固定片２４がちょうど支柱１０の２個の受け槽１２、受け槽１３に対応し、且つ、挿入固定片２３、挿入固定片２４とフレーム部分２２は同一平面となる。挿入固定片２３、挿入固定片２４の長さＡは支柱１０の受け槽１２、受け槽１３の深さＣより大きく、挿入固定片２３の下端縁から穴２５の下縁までの間隔Ｂは支柱１０の受け槽１２、受け槽１３の深さＣより大きいことにより、支柱１０の受け槽１２、受け槽１３がスムーズに棚部分仕切り層２０の穴２５を通って、挿入固定片２３、挿入固定片２４が挿入されて結合される。
【００１４】
このように、支柱１０の受け槽１２、受け槽１３は上下に対に並んだ形態に設置され、棚部分仕切り層２０の挿入固定片２３、挿入固定片２４と支柱１０の受け槽１２、受け槽１３とが挿入結合される。この上下の二重の固定作用により、挿入固定片２３、挿入固定片２４及び受け槽１２、受け槽１３がそれぞれ各側面の所定の位置に設置されることにより、全体の結合の優れた安定性を維持することができる。また、これによると、物品が置かれた時に受ける重量が均等に分担されるため、揺れたり、緩んだりすることが抑制される。
【００１５】
また、支柱１０の複数の受け槽１２、受け槽１３の設置によって、物品の置かれる状況に応じて隣り合う２本の支柱１０間に受け槽１２、受け槽１３を設置して、別に止め板３０を設置することで、置かれた物品が傾いたり、落下したりすることを防ぐと同時に、組立ラックの強度を向上させる効果を有する。さらにまた、置かれる物品及び棚部分仕切り層の形態によって、必要に応じて別に棚板受けパーツ４０を追加して各支柱１０と同一の水平位置の受け槽１２に挿入することで、さらに、棚部分仕切り層２０’を置いた時、棚部分仕切り層２０’の四端の角に安定した支柱の受け皿ができるため、組み立てラックの実用性を高め、変化をもたせることができる。
【００１６】
（他の実施形態）
次に、図７、図８の斜視図及び図９、図１０の模式図を参照しながら、本考案の他の実施形態について説明する。
図に示すように、本形態においても、前述の形態と同様に、支柱１０の内側に突起した受け槽が、棚部分仕切り層のフレーム部分２２の端の角部分の挿入固定片と組み合わさることで、安定した挿入結合効果を有している。
【００１７】
ここで本形態では特に、棚部分仕切り層のフレーム部分２２のサイズが大きい場合やガラスの棚部分仕切り層（図示せず）である場合、補助支え５０を別に追加している。対応する二つのフレーム部分２２の側板２８の所定の位置には、少なくとも一対または一対以上の内側に突起した状態の補助支え受け槽２７が設置されている。これにより、別に追加された補助支え５０を、横向きまたは縦向き、つまり棚部分仕切り層の長手方向または短い方向に追加することができるため、棚部分仕切り層２０の強度を向上することができる。
【００１８】
補助支え５０は、金属板をプレス加工して成形され、両端には低い段差部分５１が設置される。その端縁には下に向かって折り曲げられた補助支え挿入固定片５２を有することで、低い段差部分５１の落差度がちょうどフレーム部分２２の上縁部分をよけて、スムーズに補助支え５０とフレーム部分２２の挿入組み立て作業を行うことができる。補助支え挿入固定片５２がフレーム部分２２の側板２８にあらかじめ設置された補助支え受け槽２７に挿入されて、補助支え２２の上縁とフレーム部分２２の上縁が平行になることで、その上の棚部分仕切り層の板に対して補助的に支える効果が強化されて、重量を受ける力を強化して、ラックとしての安定性及び安全性を高める。
【００１９】
このように、本形態の組み立てラックは、支柱と棚部分仕切り層の組み立て設計において、支柱の二つの結合板が所定の間隔に上下対になった形態で受け槽が設置され、棚部分仕切り層の各角の部分に設置されたプレス加工によって成形された挿入固定片の構造が組み合わされることで、スピーディー且つ簡単に支柱と棚部分仕切り層の挿入結合が行われ、上下対になった挿入形態によって、安定した結合性を確保して、揺れたり、緩んだりすることを回避する。
【００２０】
したがって、従来の同様の組み立て式のラックが有する問題及び欠点を有効に解決すると同時に、受け槽の設置により、必要に応じて止め板及び棚板受けパーツ等の部品を組み合わせ、棚部分仕切り層のフレーム部分の補助支えの追加により、フレキシブルな組み合わせや変化が可能で、優れた実用性を有する。
【符号の説明】
【００２１】
１０：支柱、１１：結合板、１２：受け槽、１３：受け槽、２０：棚部分仕切り層、２０’：棚部分仕切り層、２１：格子状棚部分、２２：フレーム部分、２３：挿入固定片、２４：挿入固定片、２５：穴、２６：切れ込み部分、２７：補助支え受け槽、２８：側板、３０：止め板、４０：棚板受けパーツ、５０：補助支え、５１：低い段差部分、５２：補助支え挿入固定片
【図１】
0003156536.tif 000003
【図２】
0003156536.tif 000004
【図３】
0003156536.tif 000005
【図４】
0003156536.tif 000006
【図５】
0003156536.tif 000007
【図６】
0003156536.tif 000008
【図７】
0003156536.tif 000009
【図８】
0003156536.tif 000010
【図９】
0003156536.tif 000011
【図１０】
0003156536.tif 000012